(57)【特許請求の範囲】
【請求項１】
前部に開口部を有し、後部に突設したツマミ部を有する平面視略Ｃ字形状の第１支持体と、前記第１支持体と同様に、前部に開口部を有し、後部に突設したツマミ部を有する平面視略Ｃ字形状の第２支持体とを、互いに接するように連結部で連設し、該連結部の前部及び後部にそれぞれ開口部を有する略Ｃ字形状の輪台支持体を設置し、また、前記第１支持体及び第２支持体は、弾性体により形成されたことを特徴とする植物支持具。
【請求項２】
前記第１支持体、第２支持体及び、連結部の少なくとも１つには、金属製弾性体を芯材として、表面が柔軟性を有する合成樹脂等の被覆材で被覆したことを特徴とした、請求項１に記載の植物支持具。
【発明の詳細な説明】
【技術分野】
【０００１】
植物の成長を助成するため、支柱に植物の茎を支持する植物支持具（特に大菊栽培時の輪台の取り付けができる）に関するものである。
【背景技術】
【０００２】
従来植物の茎を支柱に支持する場合、紐やビニールで被覆した針金等を用いて、植物の茎と支柱とを巻き付け固定していた。更に、大菊栽培終期では菊花直下において、前記紐やビニールで被覆した針金等を用いて、植物の茎と支柱と輪台とを巻き付け固定していた。
【０００３】
また、紐やビニールで被覆した針金等を用いず、植物支持具により支持する種々の方法も考案されている。
【０００４】
例えば、特許文献１では、輪台の花支持部の中央から垂下した垂下部の下端部が、板ばねのクリップからなり、茎を着脱自在に挟持する茎挟持部と、支柱の上端部に嵌着される支柱嵌着部としての支柱キャップが接合されている。
【特許文献１】特開平０６−０９８６４１号公報
【発明の開示】
【発明が解決しようとする課題】
【０００５】
従来から、植物の茎の自立性の不足を補うため、植物の茎の横に支柱を立て、紐やビニールで被覆した針金等を用いて、植物の茎と支柱とを縛り付け倒れないように固定していた。
【０００６】
しかし、植物の茎と支柱を紐やビニールで被覆した針金等を用いて縛り付ける方法では、作業は煩わしく、且、時間が掛かるのみならず、紐やビニールで被覆した針金等に伸縮性がないため、植物の成長により植物の茎を締め付けすぎて生育に悪影響が及んだりした。
【０００７】
そこで従来、種々の植物支持具が提案されているが、特許文献１では大菊栽培時において、花弁の垂れ下がり防止としての輪台を植物支持具に接合したものであるが、支持具としては支柱の先端部に取り付けるものであり、中途部への取付けはできず、輪台も支持具に固設されて取り外しができない。一般的に大菊栽培の終期には、輪台により下から花弁を受止していたものを、菊花の厚みを増し盛り上がりを大きく見せるため輪台を下げる操作を行っているが、前記操作を行うために複雑な構造を付加する必要があり製作コスト高となる。また、輪台は変形破損することがよくあり、再使用率が低下する。
【０００８】
本発明は支柱に植物の茎を確実に支持し得、着脱操作が簡単であり、且、菊花の垂れ下がり防止用の輪台の取り付けが可能であり、また、構造が簡単で製作コストが低く抑えられる植物支持具を提供しようとするものである。
【課題を解決するための手段】
【０００９】
前記目的を達成するために、前部に開口部を有し、後部に突設したツマミ部を有す平面視略Ｃ字形状の第１支持体と、前記第１支持体と同様に、前部に開口部を有し、後部に突設したツマミ部を有する平面視略Ｃ字形状の第２支持体とを、互いに接するように連結部で連設し、該連結部の前部及び後部にそれぞれ開口部を有する略Ｃ字形状の輪台支持体を設置し、また、前記第１支持体及び第２支持体は、弾性体により形成されたことを特徴とするものである。
【００１０】
前記第１支持体、第２支持体及び、連結部の少なくとも１つには、金属製弾性体を芯材として、表面が柔軟性を有する合成樹脂等の被覆材で被覆したことを特徴としたものである。
【発明の効果】
【００１１】
本発明の植物支持具によれば、支柱に植物茎を任意の箇所にワンタッチで確実に支持することができ、成長による茎への締め付けすぎによる生育阻害もなく、また、菊花用輪台の取り付けも可能であり、該輪台の移動も容易におこなえる。そして、繰り返し使用ができ経済的であり、構造も簡単なため製作コストも低く抑えられる。
【発明を実施するための最良の形態】
【００１２】
本発明の実施の形態を、図面を参照にして詳述する。尚、図面は開口部側を前部とし、ツマミ部側を後部とする。
【００１３】
図１、図８、図１０、図１１は第１実施形態を示すものである。
【００１４】
図１、図８に示すように植物支持具１は、前部に開放された開口部6を設けた略C字状に形成した円筒体による第１支持部７を構成し、後部にツマミ部４が突設された第１支持体２と、前記第１支持体２同様に、前部に開放された開口部6を設けた略C字状に形成した円筒体による第２支持部８を構成し、後部にツマミ部４が突設された第２支持体３とを、互いに接するように連結部５で連設する。また、第１支持体２の開口部６は第１支持部７の直径よりも小さく、同様に第２支持体３の開口部６も第２支持部８の直径よりも小さくする。
【００１５】
前記植物支持具１は、弾性力を有する合成樹脂等により一体成形されている。
【００１６】
図１０に示すように、第１実施形態の植物支持具1を用いての、支柱１０２への植物茎１０１の支持操作は、指先Ｆ（親指と人差指）で、第１支持体２および第２支持体３の後部の両ツマミ部４、４を圧縮すると、弾性体よりなる第１支持体２および第２支持体３は撓曲し、各開口部６、６は開口幅を拡幅する。
【００１７】
この状態で、第１支持体２の開口部６より植物茎１０１を第１支持部７へ、第２支持体３の開口部６より支柱１０２を第２支持部８へ挿入し、両ツマミ部４、４の圧縮を解除することにより、各開口部６、６は元の状態に縮幅し、第１支持体２には植物茎１０１が抱持され、第２支持体３には支柱１０２が抱持されることにより、植物茎１０１が支柱１０２に支持される。
【００１８】
以上のように、ワンタッチで簡単に植物支持具１により、支柱１０２に植物茎１０１を支持することができる。また、植物支持具1の取外しも、前記と逆の操作により簡単に行える。
【００１９】
しかも、支持体２（または３）は円筒状の弾性体により一体成形されているため、植物の成長により植物茎１０１が拡径し支持部７（または８）の内径よりも大きくなっても、支持体２（または３）は弾性体であるため撓曲し、また、円筒体であるため局所的に植物茎１０１を強く締め付けることがなく、植物の生育阻害が抑制できる。
【００２０】
図１１は植物茎１０１を支柱１０２で支持した状態を示す。支持部７、８の内径が植物茎１０１及び支柱１０２の外径よりも大きくても、植物茎１０１には凹凸があり真直ではなくいくらか曲がり、葉または脇枝もある。また、支柱１０２にも節様な突起状物１０２−１が突設したものがあるため、植物支持具１は極端にズレ落ちることはない。
【００２１】
図２は第２実施形態を示す植物支持具１１である。前記第１実施形態の植物支持具１との相異点は、連結部５１が長くなっていることである。連結部５１が長くなっていることにより、植物茎１０１と支柱１０２との支持間隔が広くなり、葉または脇枝が植物茎１０１と支柱１０２とに挟み込まれ、圧迫されることによる生育阻害が起きなくなる。
【００２２】
図３は第３実施形態を示す植物支持具１2である。前記第１実施形態の植物支持具１との相異点は、第１支持体２２及び、第２支持体３２の円筒部分が長くなっていることである（ツマミ部４、４も長くても良い）。各支持体２２、３２の円筒部分が長いことにより、第１実施形態の植物支持具１に比べより広範囲での支持となり、より一層局所的に植物茎１０１を締め付けることがなくなる。また、図１２（植物支持具１６に変え植物支持具１２とする）に示すように、大菊栽培終期に支柱１０２の先端部で菊花直下の花首を抱持することにより、支持体２２の円筒部分が長いため、花首を長い距離抱持することにより、花首の変形（傾き）が防止できる。尚、これは大菊栽培に限らない。
【００２３】
図４は第４実施形態を示す植物支持具１３である。前記第１実施形態の植物支持具１との相異点は、第１支持体２３及び、第２支持体３３の円筒部分が短くなって円環状となっていることである。該各支持体２３、３３が円環状となっていることにより、局所的な植物茎１０１への締め付けは増すが、着脱が極めて容易となる。
【００２４】
図５は第５実施形態を示す植物支持具１４である。前記第１実施形態の植物支持具１との相異点は、第１支持体２４と第２支持体３４の円筒部分が異径となっていることである。植物茎１０１の太さと支柱１０２の太さが相異した場合、それぞれの太さに適合したものを選択すれば、植物茎１０１を安定して支柱１０２へ支持することができる。
【００２５】
図６、図９、図１２は第６実施形態を示す植物支持具１６である。前記第１実施形態の植物支持具１との相異点は、連結部５６の前部および後部にそれぞれ開口部を有する略Ｃ字状の菊花用輪台支持体９４、９４を設けたことである。輪台１０３は針金を合成樹脂製チューブ等で被覆し、それを屈曲成形し製造されており、中央垂下部１０３−２の針金の太さは花支持部１０３−１の大きさに係わらず一定であるため、輪台支持体９４、９４の内径も一定で良く、該輪台支持体９４、９４の内径は、中央垂下部１０３−２の針金の外径と同じか少し小さくすることにより、輪台１０３のズレ下がりがなく、輪台１０３の着脱及び移動も容易にできる。
【００２６】
前記第６実施形態の植物支持具１６は、支柱１０２上部で菊花１１０の下部の花首（植物茎１０１）に装着した後、輪台１０３を菊花１１０下部にて中央垂下部１０３−2、１０３−２を輪台支持体９４、９４へ嵌挿し、その後輪台１０３を上方へ移動し菊花１１０を下側から支持し、花弁の垂れ下がりを防止する。また、植物支持具１６及び輪台１０３の取り外しは、前記操作とは逆の操作により容易に取外しができ、仮に輪台１０３が破損した場合でも植物支持具１６は、輪台１０３の破損の影響を受けることなく再使用が可能である。
【００２７】
図７は第７実施形態を示す植物支持具１７である。前記第１実施形態の植物支持具１との相異点は、第１支持体２７、第２支持体３７及び、連結部５７に、金属製弾性体を芯材として、表面が柔軟性を有する合成樹脂等の被覆材で被覆した植物支持具1７であり、合成樹脂で柔軟性があれば弾性力が小さくても、芯材が弾性力を補完する。
【００２８】
該芯材の被覆方法は第１支持芯材９１を被覆材からなる第１支持体２７で被覆し、第２支持芯材９２も被覆材からなる第２支持体３７で被覆し、連結部芯材９３も被覆材からなる連結部５７で被覆する。尚、各芯材は接合してもよく、またしなくてもよい。更に、ツマミ部芯材（図示せず）をツマミ部４、４で被覆させてもよい。また更に、第１支持芯材９１を被覆材からなる第１支持体２７で被覆し、第２支持芯材９２も被覆材からなる第２支持体３７で被覆させただけでもよい。芯材としては弾性力を有する鋼製帯板等よりなる。
【００２９】
前記のように、被覆材としての合成樹脂の特性に適合した、芯材の植物支持具１７への種々の被覆方法が選択できる。これにより、柔軟性の高い合成樹脂を被覆材とすれば、植物支持具１７による植物茎１０１への当りが和らぎ、植物茎１０１を傷付けることが軽減できる。
【００３０】
図１３は前記第１実施形態の植物支持具１のツマミ部４、４に補強のためのリブ９５、９５を、該ツマミ部４、４の側面と支持体（円筒体）２、３との外面に設置することにより、該ツマミ部４、４の強度が増し、植物支持具１の開口部６、６の拡幅が容易となる。
【００３１】
図１４は前記第１実施形態の植物支持具１の支持部７、８（支持部７、または支持部８のどちらか一方でも可）の内面に柔軟性の高い合成樹脂製のクッション９６、９６を貼着することにより、植物支持具１による植物茎１０１への当りが和らぎ、植物茎１０１を傷付けることが軽減できる。
【００３２】
図１５は本発明の第８実施形態を示す植物支持具１８である。前記第１実施形態の植物支持具１のツマミ部の設置位置に比べ、ツマミ部４８、４８はツマミ基端部４８−１、４８−１が支持体（円筒体）２、３の側部に固設し、ツマミ操作部４８−２、４８−２が後部側へ延びるよう設置されている。このように設置することにより、ツマミ部４８、４８の操作は後部より行える。
【００３３】
図１６は本発明の第９実施形態を示す植物支持具１９である。第１支持体２９の円筒体と第２支持体３９の円筒体の長さが同一でなく、第１支持体２９は第２支持体３９に比べ短くなっている、これにより第１支持体２９は第２支持体３９に比べ支持操作の際、拡幅が容易であり、拡幅の幅も大きくとることができる。
【００３４】
以上の実施形態に付いての記載は、一つの特徴についてそれぞれ記載したものであって、前記実施形態の複数の特徴を兼備させることによって、より一層使用状況に適合した植物支持具が提供できる。
【産業上の利用可能性】
【００３５】
本発明の植物支持具は、使用状況に適合した植物支持具が得られ、菊花用輪台の取り付け、移動も容易に行え、また、輪台不使用時には支柱に植物茎を任意の箇所にワンタッチで取り付けができ、成長による茎への締め付けすぎによる生育阻害もなく、繰り返し使用ができ経済的であり、また、構造が簡単なため製作が容易であり、製作コストも低く抑えられる。
【図面の簡単な説明】
【００３６】
【図１】第１実施形態の植物支持具を示す斜視図である。
【図２】第２実施形態の植物支持具を示す斜視図である。
【図３】第３実施形態の植物支持具を示す斜視図である。
【図４】第４実施形態の植物支持具を示す斜視図である。
【図５】第５実施形態の植物支持具を示す斜視図である。
【図６】第６実施形態の植物支持具を示す斜視図である。
【図７】第７実施形態の植物支持具を示す斜視図である。
【図８】第１実施形態の植物支持具を示す平面図である。
【図９】第６実施形態の植物支持具により、植物茎、支柱及び輪台が抱持された状態を示す平面図である。
【図１０】第１実施形態の植物支持具により、植物茎及び支柱を抱持するための操作を示す平面図である。
【図１１】第１実施形態の植物支持具により、植物茎が支柱に支持された状態を示す斜視図である。
【図１２】第６実施形態の植物支持具により、輪台により菊花が下側より受止され、更に植物茎が支柱に支持された状態を示す斜視図である。
【図１３】第１実施形態の植物支持具に、リブを設置した状態を示す平面図である。
【図１４】第１実施形態の植物支持具に、クッションを設置した状態を示す平面図である。
【図１５】第８実施形態の植物支持具を示す平面図である。
【図１６】第９実施形態の植物支持具を示す斜視図である。
【符号の説明】
【００３７】
１  第１実施形態の植物支持具
２，２２，２３，２４，２７，２９  第１支持体
３，３２，３３，３４，３７，３９  第２支持体
４，４８  ツマミ部
５，５１，５５，５６，５７  連結部
６  開口部
７  第１支持部
８  第２支持部
１１  第２実施形態の植物支持具
１２  第３実施形態の植物支持具
１３  第４実施形態の植物支持具
１４  第５実施形態の植物支持具
１６  第６実施形態の植物支持具
１７  第７実施形態の植物支持具
１８  第８実施形態の植物支持具
１９  第９実施形態の植物支持具
９１  第１支持芯材
９２  第２支持芯材
９３  連結部芯材
９４  輪台支持体
９５  リブ
９６  クッション
１０１  植物茎
１０２  支柱
１０３  輪台
１１０  菊花
【要約】
【課題】支柱に植物の茎を確実に支持し得、着脱操作が容易であり、且、構造が簡単で、製作コストが低く抑えられる植物支持具を提供しようとするものである。
【解決手段】前部に開放された開口部６を設けた略Ｃ字状に形成した円筒体による第１支持部７を構成し、後部にツマミ部４が突設された第１支持体２と、前記第１支持体２同様に、前部に開放された開口部６を設けた略Ｃ字状に形成した円筒体による第２支持部８を構成し、後部にツマミ部４が突設された第２支持体３とを、互いに接するように連結部５で連設する。該各開口部６、６の開口幅は各支持部７、８の直径よりも小さくする。また、前記第１支持体及び第２支持体は、弾性体により形成する。
【選択図】図１【図１】
0004288683.tif 000002
【図２】
0004288683.tif 000003
【図３】
0004288683.tif 000004
【図４】
0004288683.tif 000005
【図５】
0004288683.tif 000006
【図６】
0004288683.tif 000007
【図７】
0004288683.tif 000008
【図８】
0004288683.tif 000009
【図９】
0004288683.tif 000010
【図１０】
0004288683.tif 000011
【図１１】
0004288683.tif 000012
【図１２】
0004288683.tif 000013
【図１３】
0004288683.tif 000014
【図１４】
0004288683.tif 000015
【図１５】
0004288683.tif 000016
【図１６】
0004288683.tif 000017